(57)【要約】      （修正有）【課題】適切な書類の撮影データを取得する。【解決手段】情報処理装置１は、回転可能な表示部１０５を備え、書類１０を撮影して生成された画像データを処理する。情報処理装置１は、表示部１０５の表示面に設けられた撮影部１２１で書類１０を撮影して生成された画像データを、取得して記憶装置に記憶する取得手段と、画像データを鏡像反転させた新たな画像データを生成し、新たな画像データを表示部１０５に表示するプレビュー手段とを備える。【選択図】図１
2011199479.tif 000002
【特許請求の範囲】
【請求項１】
表示部を備え、書類を撮影して生成された画像データを処理する情報処理装置であって、
前記表示部の表示面に設けられた撮影部で書類を撮影して生成された画像データを、取得して記憶装置に記憶する取得手段と、
前記画像データを鏡像反転させた新たな画像データを生成し、前記新たな画像データを前記表示部に表示するプレビュー手段
とを備えることを特徴とする情報処理装置。
【請求項２】
前記プレビュー手段は、前記書類の設置位置を示すガイドを表示する
ことを特徴とする請求項１に記載の情報処理装置。
【請求項３】
前記プレビュー手段はさらに、前記画像データを台形補正した前記新たな画像データを生成し、前記新たな画像データを表示部に表示する
ことを特徴とする請求項１に記載の情報処理装置。
【請求項４】
前記プレビュー手段は、前記書類の設置位置を示し、前記書類と相似形の形状を有するガイドを表示する
ことを特徴とする請求項３に記載の情報処理装置。
【請求項５】
前記画像データを台形補正するとともに、前記書類のエッジ部分を抽出してトリミングして、対象データとして記憶装置に記憶する補正手段
をさらに備えることを特徴とする請求項１ないし４のいずれか１項に記載の情報処理装置。
【請求項６】
前記画像データを台形補正するとともに、前記ガイドに対応する位置を抽出してトリミングして、対象データとして記憶装置に記憶する補正手段
をさらに備えることを特徴とする請求項２または４に記載の情報処理装置。
【請求項７】
表示部を備え、書類を撮影して生成された画像データを処理するコンピュータに用いられる情報処理プログラムであって、
前記コンピュータを、
前記表示部の表示面に設けられた撮影部で書類を撮影して生成された画像データを、取得して記憶装置に記憶する取得手段と、
前記画像データを鏡像反転させた新たな画像データを生成し、前記新たな画像データを前記表示部に表示するプレビュー手段
として機能させることを特徴とする情報処理プログラム。
【請求項８】
表示部を備え、書類を撮影して生成された画像データを処理する情報処理装置と、前記画像データを格納する情報格納装置と、を備える情報処理システムに用いられる情報処理方法であって、
前記情報処理装置が、前記表示部の表示面に設けられた撮影部で書類を撮影して生成された画像データを、取得して記憶装置に記憶する取得ステップと、
前記情報処理装置が、前記画像データを鏡像反転させた新たな画像データを生成し、前記新たな画像データを前記表示部に表示するプレビューステップと、
前記情報処理装置が、前記新たな画像データを前記情報格納装置に送信するデータ送信ステップと、
前記情報格納装置が、前記情報処理装置から前記新たな画像データを受信するデータ受信ステップと、
前記情報格納装置が、前記新たな画像データが、格納するための条件を満たしているか否かを判定する判定ステップと、
前記情報格納装置が、前記判定ステップによる判定結果を、前記情報処理装置に送信する結果送信ステップと、
前記情報格納装置が、前記新たな画像データが条件を満たしている場合に、前記新たな画像データを格納する格納ステップ
とを備えることを特徴とする情報処理方法。
【発明の詳細な説明】
【技術分野】
【０００１】
本発明の実施の形態は、書類を撮影して生成された画像データを処理する情報処理装置、情報処理プログラムおよび情報処理方法に関する。
【背景技術】
【０００２】
近年の情報処理装置の発達に伴い、小型化および高性能化が著しい。これに伴い、保険会社などの営業担当者が、ノートパソコンを携行して顧客の元を訪れ、職務に当たる機会が増えている。
【０００３】
例えば、顧客が記入した申込書などの書類に基づいて、営業担当者が、携行したノートパソコンにデータを入力するとともに、その書類を撮影して電子データ化して、エビデンスデータとして保管する場合が考えられる。ここで、書類を撮影した電子データを保管する際、エビデンスデータとして保管することについて顧客の同意を得るため、顧客の前で電子データ化して保管することが好ましい。また、文字の可読性などのエビデンスデータとしての画質を備えていることが、リアルタイムに確認できることが好ましい。
【０００４】
文字の可読性など、エビデンスデータに求められる条件を備えていることを、営業担当者がリアルタイムに確認するためには、客先で画像を取り込む必要がある。そのため、顧客を待たせないために、手際よく画像を取り込む必要がある。
【０００５】
一方、いわゆるコンバーチブルのノートパソコンが知られている（例えば、特許文献１参照。）。この特許文献１に記載の情報機器は、段落番号［００６３］および図１１等に記載されるように、２つの回転軸を有するヒンジにより、第１の筐体と第２の筐体とが連結されている。
【先行技術文献】
【特許文献】
【０００６】
【特許文献１】特開２００６−５３６７８号公報
【発明の概要】
【発明が解決しようとする課題】
【０００７】
しかし、従来の技術で、顧客を待たせることなくエビデンスデータに求められる条件を備えた撮影データを取得することは、困難である。
【０００８】
例えば、手持ちのデジタルカメラなどで書類を撮影すると、デジタルカメラからノートパソコンに画像を取り込む手間が発生する。その間、顧客に待ち時間が発生してしまうため、客先など、短時間での作業が求められる場合には、適切ではない。また、手持ちのデジタルカメラで撮影する場合、Ａ４サイズの書類の全面に渡って可読性を備えるように撮影するのは困難である。
【０００９】
そこで、短時間でエビデンスデータとしての条件を備えた画像を撮影できる仕組みが求められている。
【００１０】
従って本発明の目的は、適切な書類の撮影データを取得することのできる情報処理装置、情報処理プログラムおよび情報処理方法を提供することである。
【課題を解決するための手段】
【００１１】
上記課題を解決するために、本発明の実施の形態は、表示部を備え、書類を撮影して生成された画像データを処理する情報処理装置に関する。本発明の実施の形態に係る情報処理装置は、表示部の表示面に設けられた撮影部で書類を撮影して生成された画像データを、取得して記憶装置に記憶する取得手段と、画像データを鏡像反転させた新たな画像データを生成し、新たな画像データを表示部に表示するプレビュー手段と、を備える。ここで、プレビュー手段は、書類の設置位置を示すガイドを表示することが好ましい。
【００１２】
また、プレビュー手段はさらに、画像データを台形補正した新たな画像データを生成し、新たな画像データを表示部に表示することが好ましい。この場合、プレビュー手段は、書類の設置位置を示し、書類と相似形の形状を有するガイドを表示することが好ましい。
【００１３】
さらに、画像データを台形補正するとともに、書類のエッジ部分を抽出してトリミングして、対象データとして記憶装置に記憶する補正手段を備えても良い。この補正手段は、画像データを台形補正するとともに、ガイドに対応する位置を抽出してトリミングして、対象データとして記憶装置に記憶しても良い。
【図面の簡単な説明】
【００１４】
【図１】本発明の実施の形態に係る情報処理装置が、書類を撮影する様子を表した図である。
【図２】本発明の実施の形態に係る情報処理装置を表した図である。
【図３】本発明の実施の形態に係る情報処理装置のハードウェア構成図である。
【図４】本発明の実施の形態に係る情報処理装置の機能ブロック図である。
【図５】本発明の実施の形態に係る情報処理装置における台形補正を説明する図である。
【図６】本発明の実施の形態に係る情報処理装置の撮影エリアを説明する図である。
【図７】本発明の実施の形態に係る情報処理装置によって、撮影された画像を説明する図である。（その１）
【図８】本発明の実施の形態に係る情報処理装置によって、撮影された画像を説明する図である。（その２）
【図９】本発明の実施の形態に係る情報処理装置によって、撮影された画像を説明する図である。（その３）
【図１０】本発明の実施の形態に係る情報処理装置によって、撮影された画像を説明する図である。
【図１１】本発明の実施の形態に係る情報処理装置における処理を説明するフローチャートである。
【図１２】本発明の実施の形態に係る情報格納装置の機能ブロック図である。
【図１３】本発明の実施の形態に係る情報格納装置における処理を説明するフローチャートである。
【図１４】本発明の実施の形態の第１の変形例に係る情報処理装置の機能ブロック図である。
【図１５】本発明の実施の形態の第１の変形例に係る情報処理装置によって、撮影された画像を説明する図である。（その１）
【図１６】本発明の実施の形態の第１の変形例に係る情報処理装置によって、撮影された画像を説明する図である。（その２）
【図１７】本発明の実施の形態の第１の変形例に係る情報処理装置によって、撮影された画像を説明する図である。（その３）
【図１８】本発明の実施の形態の第２の変形例に係る情報処理装置が、書類を撮影する様子を表した図である。
【図１９】本発明の実施の形態の第２の変形例に係る情報処理装置の撮影部を説明する図である。
【図２０】本発明の実施の形態の第２の変形例に係る情報処理装置の機能ブロック図である。
【発明を実施するための形態】
【００１５】
次に、図面を参照して、本発明の実施の形態を説明する。以下の図面の記載において、同一または類似の部分には同一または類似の符号を付している。
【００１６】
（本発明の実施の形態の概要）
図１および図２を参照して、本発明の実施の形態の概要を説明する。本発明の実施の形態に係る情報処理装置１は、例えば、ノートパソコン等の可搬性を備える情報機器によって実現される。情報処理装置１は、いわゆるコンバーチブルのノートパソコンである。情報処理装置１は、表示部１０５を備え、書類１０を撮影して生成された画像データを処理する。ここで、本発明の実施の形態に係る情報処理装置１の撮影部１２１は、表示部１０５の表示面と同じ面に設置されている。
【００１７】
情報処理装置１は、コンピュータ本体と表示部１０５とが、回転可能なヒンジにより連結されている。本発明の実施の形態に係る情報処理装置１において、表示部１０５はヒンジ部分を中心に、水平方向に３６０度回転可能である。表示部１０５が回転可能なことにより、ユーザは、情報処理装置１のキーボードを扱って入力しながら表示部１０５を確認したり、また、他者に表示部１０５を確認させたりすることもできる。ここで、ユーザは、例えば保険会社の営業担当者である。また他者は、例えば保険会社の顧客である。
【００１８】
本発明の実施の形態においては特に、図１に示すように、情報処理装置１の表示部１０５を、キーボード１０４ａとは１８０度回転させた方向に向けて使用する。１８０度回転させた方向に向けて使用することにより、表示部１０５により近い位置に、書類１０を設置することができる。従って、書類１０をより拡大させた状態で撮影することができるので、高品質の画像データを取得しやすい。図１に示す例では、キーボード１０４ａとは１８０度回転させた方向に表示部１０５を向けて、表示部１０５を挟んでキーボード１０４ａと反対方向に書類１０を設置する場合について説明するが、書類１０は、これとは異なる位置に配置されても良く、また表示部１０５もこれとは異なる方向に回転されていても良い。
【００１９】
図１においてユーザは、表示部１０５を挟んでキーボード１０４ａと反対方向に、情報処理装置１に取り込む書類１０を設置する。図１に示すように、表示部１０５の正面に書類１０が設置される。撮影部１２１は、表示部１０５の表示面に設置されているので、情報処理装置１は、表示部１０５に、撮影部１２１による書類１０の撮影データを表示することできる。また、ユーザは、表示部１０５を挟んでキーボード１０５ａと反対方向に位置する。従ってユーザは、表示部１０５に対面し、表示部１０５を確認しながら書類１０を移動する。
【００２０】
ユーザは、表示部１０５に表示された撮影状態を確認しながら、書類１０の全体が撮影可能な位置におさまるよう、書類１０を移動する。このとき、表示部１０５に、書類１０の全体が画像データに収まる最適な位置を示すガイド表示が、表示部１０５に表示されても良い。ユーザは、このガイド表示に従って、書類１０を設置し、適切な位置に配置されたことが確認されると、撮影する指示を情報処理装置１に入力する。これにより、情報処理装置１は、書類１０の画像データを取得することができる。
【００２１】
（情報処理装置のハードウェア構成）
図３に示すように、本発明の実施の形態に係る情報処理装置１は、中央処理制御装置１０１、ＲＯＭ（Read Only Memory）１０２、ＲＡＭ（Random Access Memory）１０３、入出力インタフェース１０９および画像変換部１２２が、バス１１０を介して接続されている。入出力インタフェース１０９には、入力装置１０４、表示部１０５、通信制御装置１０６、記憶装置１０７およびリムーバブルディスク１０８が接続されている。画像変換部１２２には、撮影部１２１が接続されている。
【００２２】
撮影部１２１は、例えばＣＣＤ（Charge Coupled Device）であって、書類１０から受けた光を電気信号に変換して、画像変換部１２２に入力する。
【００２３】
撮影部１２１は、例えば、情報処理装置１に固定され、かつ内蔵されたＣＣＤである。例えば、撮影部１２１は、情報処理装置１の筐体に埋め込まれ、図３に示すように、撮影部１２１と中央処理制御装置１０１は、バス１１０を介して電気信号を送受信する。
【００２４】
撮影部１２１は、例えば、情報処理装置１に固定可能であって、ＵＳＢポート等を解して接続可能なカメラであっても良い。ここで、「固定可能」とは、情報処理装置１と第１の撮影部１２１が別の筐体で構成されており、撮影部１２１が、フックなどの接続部材によって取り外し可能な状態で情報処理装置１に固定できることを言う。この場合、撮影部１２１は、ＵＳＢポートなどの外部インタフェース、インタフェース１０９およびバス１１０を介して、電気信号を送受信する。
【００２５】
画像変換部１２２は、撮影部１２１から受信した電気信号を画像データに変換して、バス１１０に送出する回路である。本発明の実施の形態に係る画像変換部１２２は、回路基盤により実装されても良いし、ソフトウェアプログラムによって実装されても良い。
【００２６】
中央処理制御装置１０１は、入力装置１０４からの入力信号に基づいてＲＯＭ１０２から情報処理装置１を起動するためのブートプログラムを読み出して実行し、さらに記憶装置１０７に記憶されたオペレーティングシステムを読み出す。さらに中央処理制御装置１０１は、入力装置１０４や通信制御装置１０６などの入力信号に基づいて、各種装置の制御を行ったり、ＲＡＭ１０３や記憶装置１０７などに記憶されたプログラムおよびデータを読み出してＲＡＭ１０３にロードするとともに、ＲＡＭ１０３から読み出されたプログラムのコマンドに基づいて、データの計算または加工など、後述する一連の処理を実現する処理装置である。
【００２７】
入力装置１０４は、操作者が各種の操作を入力するキーボード１０４ａ、マウス１０４ｂなどの入力デバイスにより構成されており、操作者の操作に基づいて入力信号を作成し、入出力インタフェース１０９およびバス１１０を介して中央処理制御装置１０１に送信される。表示部１０５は、例えば液晶ディスプレイである。表示部１０５は、中央処理制御装置１０１からバス１１０および入出力インタフェース１０９を介して表示部１０５において表示させる出力信号を受信し、例えば中央処理制御装置１０１の処理結果などを表示する。通信制御装置１０６は、ＬＡＮカードやモデムなどの装置であり、情報処理装置１をインターネットやＬＡＮなどの通信ネットワークに接続する装置である。通信制御装置１０６を介して通信ネットワークと送受信したデータは入力信号または出力信号として、入出力インタフェース１０９およびバス１１０を介して中央処理制御装置１０１に送受信される。
【００２８】
記憶装置１０７は半導体記憶装置や磁気ディスク装置であって、中央処理制御装置１０１で実行されるプログラムやデータが記憶されている。リムーバブルディスク１０８は、光ディスクやフレキシブルディスクのことであり、ディスクドライブによって読み書きされた信号は、入出力インタフェース１０９およびバス１１０を介して中央処理制御装置１０１に送受信される。
【００２９】
（情報処理装置の機能構成）
本発明の実施の形態において情報処理装置１は、撮影部１２１による撮影で得られた書類１０の画像データを、鏡像反転および台形補正してプレビュー表示する。さらに、所定位置に書類１０が設置されたことが確認され、撮影の指示が入力されると、情報処理装置１は、画像データを台形補正して対象データを生成する。さらに情報処理装置１は、対象データを、情報格納装置２に送信する。情報格納装置２は、情報処理装置１から受信した画像データが、エビデンスデータとして適切な条件を備えているか否かを判断し、その条件を備えている場合に、その画像データを格納する。一方、備えていない場合、その旨を情報処理装置１に送信し、情報処理装置１は、ユーザに再度撮影する指示を画面に表示する。なお、図４に示す例では、情報格納装置２がエビデンスデータとしての条件を判断するとともに、その画像を格納する場合について説明するが、情報処理装置１が、情報格納装置２の機能を備えていても良い。この場合、情報処理装置１が、画像データをエビデンスデータとして保存するか否かを決定する。
【００３０】
本発明の実施の形態に係る情報処理装置１の記憶装置１０７には、情報処理プログラムが記憶されるとともに、図４に示すように、記憶装置１０７は、画像データ記憶部１１、ガイドデータ記憶部１２、および対象データ記憶部１３を備える。また、情報処理プログラムが情報処理装置１の中央処理制御装置１０１に読み込まれ実行されることによって、取得手段２０、プレビュー手段３０、補正手段４０、データ送信手段５０および結果表示手段６０が情報処理装置１に実装される。
【００３１】
画像データ記憶部１１は、撮影部１２１および画像変換部１２２によって生成された画像データ１１ａが記憶された記憶領域である。画像データ１１ａは、表示部１０５の表示面に設けられた撮影部１２１で書類を撮影して生成された画像データである。画像データ１１ａは、後述するプレビュー手段３０によって表示部１０５にプレビュー表示されるとともに、補正手段４０によって補正された後、対象データ１３ａとして、対象データ記憶部１３に記憶される。
【００３２】
ガイドデータ記憶部１２は、ガイドデータ１２ａが記憶された記憶領域である。ガイドデータ１２ａは、後述するプレビュー手段３０によって表示部１０５に画像データ１１ａをプレビュー表示する際に、書類１０が適切な位置に設置されるように、ガイドするためのデータである。ガイドデータ１２ａは、画像データ１１ａ中に書類１０の全体が撮影されるようにガイドする。
【００３３】
ガイドデータ１２ａは、例えば、書類１０が設置されるエリアや書類１０の輪郭を、特定の色で示したデータである。ガイドデータ１２ａはさらに、補正手段４０によって、画像データ１１ａから書類１０のデータのみをトリミングする際に用いられても良い。本発明の実施の形態においては、プレビュー手段３０および補正手段４０において台形補正しているので、ガイドデータ１２ａは、例えば、書類１０の設置位置を書類１０の形状の相似形のデータである。書類が矩形である場合、ガイドデータ１２ａで示された書類の形状も矩形となる。また、ガイドデータ１２ａは、書類１０の設置位置を書類１０の角の位置のみを示したデータであっても良い。
【００３４】
対象データ記憶部１３は、対象データ１３ａが記憶された記憶領域である。対象データ１３ａは、情報格納装置２に送信され、エビデンスデータとしての条件を満たしているか否かが判定されるデータである。対象データ１３ａは、ユーザが書類１０の撮影位置を決定し、その指示を情報処理装置１に入力した時点での撮影画像データ１１ａから生成される。
【００３５】
取得手段２０は、撮影部１２１によって撮影された電気信号に基づいて、画像変換部１２２で生成された画像データ１１ａを取得して、画像データ記憶部１１に記憶する。
【００３６】
プレビュー手段３０は、画像データ１１ａを表示部１０５に表示して、ユーザに撮影部１２１による書類１０の撮影画像を認識させる。プレビュー手段３０は、画像データ１１ａを鏡像反転するとともに、台形補正して新たな画像データを生成し、新たな画像データを表示部１０５に表示する。さらにプレビュー手段３０は、ガイドデータ記憶部１２からガイドデータ１２ａを読み出し画像データ１１ａに重畳して、書類の設置位置を示すガイドを表示する。
【００３７】
プレビュー手段３０は、単位時間あたりの表示コマ数を予め決定し、その頻度に応じて、画像データ１１ａの取得、補正およびプレビューを実行しても良い。この単位時間あたりの表示数は、情報処理装置１の処理能力に応じて決定されても良い。また、動画データとして表示せず、ユーザが撮影の指示を与える度に表示部１０５にプレビュー表示しても良い。
【００３８】
プレビュー手段３０は、台形補正手段３１および鏡像反転手段３２を備える。本発明の実施の形態においては、台形補正手段３１によって画像データ１１ａを台形補正した後、鏡像反転手段３２によって鏡像反転したデータを生成して、新たな画像データを取得する場合について説明する。ここで、鏡像反転と台形補正との処理の順序は問わない。
【００３９】
ユーザは、プレビュー手段３０によって表示部１０５に表示された撮影状態を確認し、書類１０を適切な位置に移動させる。このとき、本発明の実施の形態においては、表示部１０５に、台形補正手段３１および鏡像反転手段３２によって処理された画像が表示されている。図１に示すように、表示部１０５の前に書類１０を設置し、表示部１０５の上部の撮影部１２１で撮影する場合でも、表示画像は鏡像反転処理がなされているので、ユーザが書類１０を動かした方向に、表示部１０５中の書類１０の表示部分が移動する。具体的には、ユーザが書類１０を右に動かすと、表示部１０５中の書類１０の表示部分も右に動く。これにより、ユーザは容易に書類１０を適切な位置に設置することができる。また、撮影部１２１は、固定されているので、手振れによる撮影のミスも発生することなく、書類１０を適切に撮影することができる。
【００４０】
台形補正手段３１は、画像データ１１ａを台形補正する。本発明の実施の形態において、撮影部１２１と書類１０とが対向しておらず、斜め上方向から、書類１０を撮影することになるので、書類１０は、台形形状に撮影されてしまう。本発明の実施の形態において補正手段４０は、画像データにおいて書類の形状が台形になって生じるずれを、台形補正で対応する。例えば、画像データ１１を台形補正しない場合、図５（ａ）に示すように、書類１０が台形形状に表されてしまう。これを、台形補正手段３１は、図５（ｂ）に示すように矩形に補正する。
【００４１】
図６を参照して、本発明の実施の形態に係る台形補正処理を詳述する。情報処理装置１は、コンバーチブルのノートパソコンであって、ディスプレイの角度を調節することができる。表示部１０５を、情報処理装置１を設置している台に垂直になるように設置すると、撮影部１２１によって撮影可能なエリアは、台から撮影部１２１の距離、撮影部１２１の水平画角および垂直画角により決定される。ここでは、水平画角によって制限される水平方向の撮影エリアの制限が、垂直画角によって制限され垂直方向の撮影エリアの制限より厳しい場合について説明する。ここで、ポイントからポイントの長さを示す場合、ハイフンでそのポイントを繋いで示す。例えば、台から撮影部１２１までの高さ（長さ）を、（Ｐ１−Ｐ２）と示す。
【００４２】
図６に示すように、情報処理装置１の表示部１０５は、台に垂直に設置されている。書類１０の中央と、情報処理装置１の中央とが一致するように書類１０が、台の上に設置されている。Ｐ１は、撮影部１２１の位置である。Ｐ２は、Ｐ１を台の上に投影した位置である。Ｐ３、Ｐ５、Ｐ６およびＰ８は、書類１０の頂点である。Ｐ４は、Ｐ３−Ｐ５の辺の中間である。Ｐ７は、Ｐ６−Ｐ８の辺の中間である。Ｐ３、Ｐ５、Ｐ１１およびＰ１２は、撮影部１２１の撮影エリアの頂点である。ここで、撮影部１２１の水平画角を２θと示す。
【００４３】
この場合、（Ｐ４−Ｐ１）は、（Ｐ３−Ｐ４）／ｔａｎθである。Ｐ１、Ｐ２およびＰ４を結ぶと直角三角形となるので、（Ｐ２−Ｐ４）は、｛（Ｐ４−Ｐ１）２−（Ｐ１−Ｐ２）２｝１／２である。Ｐ１、Ｐ２およびＰ７を結ぶと直角三角形なので、（Ｐ１−Ｐ７）は、［｛（Ｐ２−Ｐ４）＋（Ｐ４−Ｐ７）｝２＋（Ｐ１−Ｐ２）２］１／２である。（Ｐ７−Ｐ９）は、（Ｐ１−Ｐ７）×ｔａｎθであるので、（Ｐ９−Ｐ１０）は、２×（Ｐ１−Ｐ７）と算出される。
【００４４】
このように、（Ｐ９−Ｐ１０）が決定するので、書類１０の長辺である（Ｐ３−５）の長辺の長さが決定されると、（Ｐ３−Ｐ５）／（Ｐ９−Ｐ１０）が決定するので、台形補正の比率が決定される。例えば、台から撮影部１２１の距離（Ｐ１−Ｐ２）を２２センチ、水平画角を６５度、書類１０の大きさを長手方向３０センチ、短手方向２１センチとした場合、距離（Ｐ２−Ｐ４）は、約８センチ、距離（Ｐ１−Ｐ７）は約３６センチ、距離（Ｐ９−Ｐ１０）は、約４６センチとなる。これにより、（Ｐ３−Ｐ５）と（Ｐ９−Ｐ１０）との比率は、約９対１４となる。
【００４５】
従って、台形補正手段３１は、台から撮影部１２１の距離、水平画角、垂直画角などの固定の数値により決定される台形補正の補正比率を予め記憶し、その補正比率を用いて、画像データを台形補正する。また、上述するように補正比率は、書類１０の大きさによっても異なる。従って、台形補正手段３１は、書類１０の種別ごとに補正比率を記憶し、書類１０の撮影時にユーザに書類種別を選択させ、その書類種別に応じた補正比率で画像データを台形補正することが好ましい。
【００４６】
上記では、水平画角の制限により撮影エリアが決定される場合を説明したが、垂直画角により制限される場合でも同様に、台形補正の比率を決定することができる。なお、台形補正の補正比率の算出方法は、撮影部１２１のＣＣＤの配列などによっても異なるものである。従って、台形補正手段３１は、情報処理装置１に適した台形補正の比率を保有し、その比率を用いて台形補正することが好ましい。
【００４７】
鏡像反転手段３２は、台形補正手段３１によって台形補正されたデータを、さらに鏡像反転処理する。図１に示す例では書類１０は、情報処理装置１および書類１０の長手方向に平行に設置されており、ユーザは、表示部１０５に対向した位置から書類１０を設置する。鏡像反転手段３２は、撮影部１２１が書類１０を撮影する方向を軸として、左右反転させた画像データを生成する。より具体的には、鏡像反転手段３２は、撮影部１２１が書類１０を撮影する方向を示す軸を、書類１０に正射影したものを軸として、画像データ１１ａを左右反転する。  図１に示す例では、情報処理装置１の長手方向で、書類１０の短手方向を軸として、鏡像反転手段３２は、鏡像反転した画像データを生成する。これにより、ユーザが書類１０を動かした方向と、表示部１０５上で書類１０の画像部分が移動する方向とが一致することになるので、ユーザは、表示部１０５を参照しながら書類１０を移動させやすい。
【００４８】
図７ないし図９を参照して、プレビュー手段３０が表示する画面を説明する。図７ないし図９のそれぞれにおいて、（ａ）は、取得した状態の画像データ１１ａを、（ｂ）は台形補正後の画像データを、（ｃ）は、さらに鏡像補正した画像データを表示部１０５に表示した状態を示している。
【００４９】
まず、図７を参照して、ユーザが適当に矩形の書類１０を設置し、書類１０が見切れている場合を説明する。図７（ａ）に示すように、この状態で撮影した画像データＤ１０１は、書類１０の一部が見えていない。画像データＤ１０１を台形補正すると、図７（ｂ）に示すように、画像データＤ１０２において、書類１０の相似形である矩形になるものの、その一部は切れている。さらに画像データＤ１０２を鏡像反転させると、図７（ｃ）に示すように、図７（ａ）および図７（ｂ）において左下の見切れ部分が、図７（ｃ）において、右下に位置する。なお図７（ｃ）に示すように、鏡像反転により文字を読み取ることはできないが、プレビュー手段３０では書類１０の位置合わせが重要であるので問題ない。
【００５０】
この状態で、ユーザが書類１０を右に動かすと、表示部１０５中の書類１０ａも右に動くので、ユーザは、書類１０の位置を合わせやすい。図７（ｃ）には、ガイド表示１３１として、適切な位置に書類を配置した際の書類の輪郭を示している。ユーザはガイド表示１３１で示された輪郭に、書類１０ａの輪郭が合うように、書類１０を移動させる。
【００５１】
図８を参照して、ユーザが書類１０を移動させ、撮影部１２１の撮影エリアに書類１０が収まっているものの、適切な位置に設置されていない場合を説明する。図８においても、図８（ａ）のように撮影された画像データＤ１０１は、台形補正されて図８（ｂ）に示すような画像データＤ１０２となる。さらに、鏡像反転されて図８（ｃ）に示すように、表示部１０５に表示される。ユーザは、図８（ｃ）に示す画面を確認しながら、ガイド表示１３１の示す輪郭内に収まるように、書類１０を移動する。
【００５２】
その結果、図９に示すように、画像データ１１ａは、台形補正および鏡像反転されて、ガイド表示１３１内に書類１０ａが収まった状態が、表示部１０５に表示される。
【００５３】
ユーザは、表示部１０５を確認して、書類１０が適切な位置に設置されたことを確認すると、キーボード１０４ａ、マウス１０４ｂ等の入力部１０４から、撮影の指示を情報処理装置１に入力する。
【００５４】
入力部１０４から撮影の指示が入力されると、補正手段４０は、画像データ１１ａを、台形補正するとともに、書類１０のエッジ部分を抽出してトリミングして、対象データ１３ａとして記憶装置１０７に記憶する。補正手段４０は、台形補正手段４１およびトリミング手段４２を備える。
【００５５】
台形補正手段４１は、プレビュー手段３０の台形補正手段３１において説明した様に、予め定められた補正比率に従って、画像データ１１ａを台形補正する。
【００５６】
トリミング手段４２は、台形補正手段４１によって得られた画像データから、書類１０に対応する画像データのみを抽出する。このときトリミング手段４２は、記憶装置１０７からガイドデータ１２ａを読み出して、ガイドデータ１２ａに基づいて、ガイドに対応する位置でトリミングすることにより、書類１０以外のデータをトリミングしても良い。また、トリミング手段４２は、画像データ１１ａ中の色調変化などにより、書類１０のエッジ部分を検出してトリミングしても良い。
【００５７】
この結果、補正手段４０は、図１０に示す対象データ１２ａを取得する。対象データ１２ａは、書類１０の相似形のみの画像データである。
【００５８】
データ送信手段５０は、対象データ１３ａを通信制御装置１０６および通信ネットワークを介して、情報格納装置２に送信する。情報格納装置２においては、受信した対象データ１３ａにおいて、文字の可読性など、エビデンスデータとして求められる条件を満たしているか否かを判定し、その結果を情報処理装置１に送信する。
【００５９】
結果表示手段６０は、情報格納装置２から、検証結果を受信して、表示部１０５に表示する。例えば、対象データ１３ａがエビデンスデータとして格納できる場合、結果表示手段６０は、その旨を表示して処理を終了する。一方、対象データ１３ａの中の文字を読み取ることができなかった場合、結果表示手段６０は、その旨を表示して、ユーザに再度書類１０の撮影をするよう指示する画面を表示する。
【００６０】
図１１を参照して、本発明の実施の形態に係る情報処理装置１の処理を説明する。
【００６１】
予め、ユーザは、情報処理装置１の表示部１０５を垂直に立てるとともに、その表示面がキーボードと反対側になるように表示部１０５を反転させる。撮影部１２１によって撮影可能なエリアに書類１０を設置する。さらにユーザは、本発明の実施の形態に係る情報処理を開始する指示を、マウス１０４ｂ等を操作して中央処理制御装置１０１に入力する。これにより、情報処理装置１は、本発明の実施の形態に係る情報処理を開始する。
【００６２】
まず、ステップＳ１０１において情報処理装置１は、撮影部１２１によって映し出されている画像データ１１ａを取得し、ステップＳ１０２において、画像データ１１ａをプレビューのための補正をする。具体的には、情報処理装置１は、画像データ１１ａに台形補正および鏡像反転処理を施す。
【００６３】
ステップＳ１０３において情報処理装置１は、ステップＳ１０２で生成されたプレビューのための画像データを、表示部１０５に表示して、ユーザから入力される撮影指示を待機する。ユーザが撮影指示を入力するまで、ステップＳ１０１ないしステップＳ１０３の指示は繰り返される。連続的に画像データが取得され、表示部１０５には、ユーザが書類１０を移動している様子が、動画データとして表示される。この間ユーザは、この表示部１０５の表示状態を確認して、書類１０の配置位置を調整する。
【００６４】
書類の配置位置や撮影部などの調整が完了すると、ステップＳ１０４においてユーザは画像を撮影するための指示を、マウス１０４ｂ等を操作して中央処理制御装置１０１に入力する。
【００６５】
次にステップＳ１０５において、情報処理装置１は、画像データ１１ａを取得し、ステップＳ１０６において、画像データ１１ａを保存するための補正をする。具体的には、情報処理装置１は、台形補正およびトリミングを施す。ステップＳ１０７において情報処理装置１は、対象データ１３ａを情報格納装置２に送信する。
【００６６】
ステップＳ１０８において情報処理装置１は、情報格納装置２から結果の受信を待機する。結果を受信すると、ステップＳ１０９において結果表示手段２６が、その結果を表示部１０５に表示する。
【００６７】
（情報格納装置）
本発明の実施の形態に係る情報格納装置２は、図３に示すように、中央処理制御装置２０１、通信制御装置２０６および記憶装置２０７等の一般的なコンピュータ装置である。情報格納装置２は、コンピュータに所定の処理を実現するプログラムがインストールされることにより実現される。
【００６８】
記憶装置２０７は、対象データ一時記憶部２１１、判定結果記憶部２１２および対象データ記憶部２１３を備える。
【００６９】
対象データ一時記憶部２１１は、情報処理装置１から送信された対象データ２１１ａが一時的に記憶された記憶領域である。対象データ２１１ａは、判定手段２２２による判定処理の際に参照され、エビデンスデータとしての条件を満たしている場合は、対象データ格納部２１３に格納される。
【００７０】
判定結果記憶部２１２は、判定手段２２２による判定結果が記憶された記憶領域である。
【００７１】
対象データ格納部２１３は、エビデンスデータとしての条件を満たした対象データ２１１ａが記憶された記憶領域である。対象データ２１１ａがエビデンスデータとしての条件を満たしている場合、対象データ格納部２１３において、対象データ２１１ａは、撮影対象となった書類３のデータとともに記憶される。
【００７２】
データ受信手段２２１は、情報処理装置１から通信制御装置２０６を介して受信した対象データ２１１ａを対象データ一時記憶部２１１に記憶する。
【００７３】
判定手段２２２は、対象データ２１１ａが、情報格納装置２内に格納するための条件を満たしているか否かを判定する手段である。情報格納装置２が、保険契約のエビデンスとして申込書の画像データを保管する場合、その用途に応じたエビデンスに必要な条件を満たしているか否かを判定する手段である。
【００７４】
判定手段２２２は、例えば、文字認識手段２２３、書類判定手段２２４、可読性判定手段２２５および捺印判定手段２２６を備える。
【００７５】
文字認識手段２２３は、対象データ２１１ａから文字画像を抽出し、コンピュータが読み取り可能な文字コードに変換する手段である。文字コードに変換できない場合、文字認識手段２２３は、エラーを出力する。
【００７６】
書類判定手段２２４は、対象データ２１１ａによって撮影された書類の種別を判定し、エビデンスデータとして求められる書類種別であるか否かを判定する。例えば書類の一部に書類種別を示すバーコード等が表示され、予め記憶された、エビデンスとして求める書類種別と照合して、合致するか否かを判定する。合致しない場合、具体的には、エビデンスとして求めない書類種別である場合、書類判定手段２２４は、エラーを出力する。
【００７７】
可読性判定手段２２５は、文字認識手段２２３によって、エビデンスデータとして対応可能な程度に変換されているかを判定する手段である。例えば、文字認識手段２２３によって文字コードに変換されたとしても、意味不明な文字列である場合、誤変換が多い場合、エビデンスデータとして求められる文字列に変換されていない場合など、可読性判定手段２２５は、可読できないとしてエラーを出力する。
【００７８】
捺印判定手段２２６は、捺印が必要な書類の場合、対象データ２１１ａを参照して捺印されているか否かを判定する。捺印されていない場合、捺印判定手段２２６は、エラーを出力する。
【００７９】
判定手段２２２は、文字認識手段２２３、書類判定手段２２４、可読性判定手段２２５および捺印判定手段２２６等の各手段による判定結果に基づいて、対象データ２１１ａを格納するか否かを決定し、その結果を判定結果記憶部２１２に記憶する。判定手段２２２は、予めエビデンスデータとしての条件を格納した条件データを備えており、条件データを参照して、対象データ２１１ａをエビデンスデータとして格納するか否かを判断しても良い。条件データは、例えば、文字認識率、書類種別、可読の判定基準、捺印位置および印鑑種別などが考えられる。
【００８０】
結果送信手段２２７は、判定結果記憶部２１２に記憶された判定結果を、通信制御装置２０６を介して情報処理装置１に送信する。
【００８１】
格納手段２２８は、対象データ２１１ａがエビデンスに必要な条件を満たしている場合、対象データ２１１ａと、撮影対象となった書類３のデータと、を対応づけて、対象データ格納部２１３に記憶する。
【００８２】
図１３を参照して、本発明の実施の形態に係る情報格納装置２の処理を説明する。まずステップＳ２０１において、情報格納装置２は、情報処理装置１から対象データを受信して、対象データ一時記憶部２１１に記憶する。
【００８３】
さらにステップＳ２０２およびステップＳ２０３において、情報格納装置２は、対象データ２１１がエビデンスデータとしての条件を満たしているか否かを判定する。例えば、ステップＳ２０２において情報格納装置２は、対象データに含まれる文字を認識できるか否かを判定する。さらにステップＳ２０３において情報格納装置２は、対象データ中の文字を読み取れるか、また、その書類種別を判定する。
【００８４】
ステップＳ２０２ないしステップＳ２０３の判定結果に基づいて、ステップＳ２０４において情報格納装置２は、対象データがエビデンスデータとしての条件を満たしているか否かの結果を、情報処理装置１に送信する。さらに情報格納装置２はステップＳ２０５において、ステップＳ２０２およびステップＳ２０３の判定において、対象データがエビデンスデータとしての条件を満たしている場合、ステップＳ２０６において、ステップＳ２０１で受信した対象データを、エビデンスデータとして保存して、処理を終了する。一方、対象データがエビデンスデータとしての条件を満たしていない場合、そのまま処理を終了する。
【００８５】
このように本発明の実施の形態に係る情報処理装置１は、書類１０の画像データを適切に取得することができる。具体的には、撮影部１２１は固定されている。従って、手振れなどにより画像データの品質を落とすことがない。
【００８６】
また、本発明の実施の形態に係る情報処理装置１は、撮影部１２１が書類１０を撮影している様子を表示部１０５にプレビュー表示するので、ユーザは、撮影部１２１による撮影状態を確認することができる。従って、画像データ中に書類が収まっていることを確認することができる。これにより、手持ちのカメラによる手振れの発生を回避し、エビデンスデータとしての画質を安定して保持することができる。
【００８７】
さらに、本発明の実施の形態に係る情報処理装置１は、プレビュー表示の際に鏡像反転した画像データを表示部１０５に表示するので、ユーザは、直感的に、移動方向を誤ることなく書類１０を移動させることができる。
【００８８】
また、本発明の実施の形態に係る情報処理装置１は、表示部１０５を水平方向に回転可能とするコンバーチブルのノート型コンピュータである。これにより、表示部１０５の表示面が、キーボード１０４ａの反対方向を向くように回転させることができるので、より近傍から書類１０を撮影し、高品質の画像データ１１ａを取得することができる。
【００８９】
さらに、情報処理装置１は、取得した画像データを情報格納装置２に送信して、エビデンスデータとしての画質を保持しているか否かを判定させ、その結果を受信することができる。これにより、従来は客先で申込書を記入させた後、オフィスでエビデンスデータを取得していたところ、客先で一連の作業を終了させることができ、１件あたりの処理時間を短縮することができる。また、従来は、オフィスでの確認作業後に契約が完了した旨の帳票を作成し、顧客に郵送などしていたところ、顧客にその場で契約が完了したことを通知することができる。従って、物流コストやこれに伴う事務コストを削減することができる。また、申し込み後すぐに契約状況を確認できるので、顧客に安心感を与えることができる。
【００９０】
このように、本発明の実施の形態に係る情報処理装置１によれば、営業担当者の訪問業務の価値を大きく高めることができる。
【００９１】
（第１の変形例）
本発明の実施の形態においては、台形補正により、ユーザに、より直感的に書類１０を移動させることができる。この場合、撮影部１２１により逐次入力される画像に対し、個々に鏡像反転および台形補正すると、情報処理装置１の負荷が高くなり、スムーズに処理できない場合が考えられる。そこで、第１の変形例においては、プレビュー表示の際、台形補正をしない場合を説明する。
【００９２】
図１４に示す本発明の実施の形態の第１の変形例に係る情報処理装置１ａは、図４示す本発明の実施の形態に係る情報処理装置１と比べて、プレビュー手段３０ａが台形補正手段３１を備えていない点が異なる。
【００９３】
第１の変形例において鏡像反転手段３２は、画像データ１１ａを読み出し、鏡像反転処理して、プレビュー手段３０ａは、表示部１０５に表示する。プレビュー手段３０ａは、ガイドデータ記憶部１２からガイドデータ１２ａを読み出して、鏡像反転した後の画像データに重畳して、表示部１０１５に表示する。
【００９４】
第１の変形例においては、プレビュー時に台形補正されないので、ガイドデータ１２ａで示される書類１０の形状は、台形の形状である。この台形の補正比率は、本発明の実施の形態における台形補正手段３１で説明した補正比率と同様である。
【００９５】
図１５ないし図１７を参照して、第１の変形例に係るプレビュー手段３０ａが表示する画面を説明する。図１５ないし図１７のそれぞれにおいて、（ａ）は、取得した状態の画像データ１１ａを、（ｃ）は、画像データ１１ａを鏡像補正した画像データを表示部１０５に表示した状態を示している。
【００９６】
まず、図１５を参照して、ユーザが適当に矩形の書類１０を設置し、書類１０が見切れている場合を説明する。図１５（ａ）に示すように、この状態で撮影した画像データＤ１０１は、書類１０の一部が見えていない。画像データＤ１０１を鏡像反転させると、図１５（ｂ）に示すように、図１５（ａ）において左下の見切れ部分が、図１５（ｂ）において、右下に位置する。なお図１５（ｂ）に示すように、鏡像反転により文字を読み取ることはできないが、プレビュー手段３０ａでは書類１０の位置合わせが重要であるので問題ない。また、図１５（ｂ）においては、書類１０の形状とは異なり、台形形状をしているが、同様に、プレビュー手段３０ａでは書類１０の位置合わせが重要であるので問題ない。
【００９７】
この状態で、ユーザが書類１０を右に動かすと、表示部１０５中の書類１０ａも右に動くので、ユーザは、書類１０の位置を合わせやすい。図１５（ｂ）には、ガイド表示１３１ａとして、適切な位置に書類を配置した際の書類の輪郭を示している。このガイド表示１３１ａも、書類１０に適した台形形状である。ユーザはガイド表示１３１ａで示された輪郭に、書類１０ａの輪郭が合うように、書類１０を移動させる。
【００９８】
図１６を参照して、ユーザが書類１０を移動させ、撮影部１２１の撮影エリアに書類１０が収まっているものの、適切な位置に設置されていない場合を説明する。図１６においても、図１６（ａ）のように撮影された画像データＤ１０１は、鏡像反転されて図１６（ｂ）に示すように、表示部１０５に表示される。ユーザは、図１６（ｂ）に示す画面を確認しながら、ガイド表示１３１ａの示す輪郭内に収まるように、書類１０を移動する。
【００９９】
その結果、図１７に示すように、画像データ１１ａは、台形補正および鏡像反転されて、ガイド表示１３１ａ内に書類１０ａが収まった状態が、表示部１０５に表示される。
【０１００】
なお、プレビュー表示手段３０ａでは台形補正しない場合でも、対象データ１２ａの品質を向上させるため、補正手段４０において、画像データ１１ａを台形補正することが好ましい。また、トリミング手段４２は、画像データ１１ａの色調変化などに基づいて書類１０のエッジ部分を検出してトリミングする。
【０１０１】
このように、第１の変形例においては、プレビュー時に台形補正をしないことにより、情報処理装置１の処理負荷を軽減させることができる。また、鏡像反転により、ユーザは、直感的に、移動方向を誤ることなく書類１０を移動させることができる。さらに、ガイド表示１３１ａの形状を所定の補正比率で補正された台形とすることにより、ユーザは、書類１０の位置合わせをより直感的にできるように支援することができる。
【０１０２】
（第２の変形例）
本発明の実施の形態およびその第１の変形例においては、情報処理装置がコンバーチブルのノートパソコンの場合を説明したが、本発明の実施の形態の第２の変形例においては、情報処理装置がコンバーチブルでないノートパソコンの場合を説明する。
【０１０３】
本発明の実施の形態の第２の変形例に係る情報処理装置１ｂは、図１８に示すように、表示部１０５が回転しない。また、撮影部１２１ａについて、表示部１０５の上方に設けられているのは上述と共通するが、撮影部１２１ａが回転することが可能である点が異なる。第２の変形例に係る情報処理装置１ｂは、書類１０を表示部１０５の後方に設置し、撮影部１２１ａを後方に回転させて書類１０を撮影する。
【０１０４】
図１９に示すように、撮影部１２１ａは、上下に回転させることができる。図１８に示すような位置で書類を設置した場合、ヒンジ部に近いエリアの画像も容易に撮影することができる。
【０１０５】
このような第２の変形例に係る情報処理装置１ｂは、図２０に示すような機能ブロックを備える。図２０に示す第２の変形例に係る情報処理装置１ｂは、図４に示す本発明の実施の形態に係る情報処理装置１と比べて、プレビュー手段３０ｂが、鏡像反転手段を備えていない点が異なる。
【０１０６】
本発明の実施の形態の第２の変形例においては、コンバーチブルでないノートパソコンでも、表示部１０５の後方に設置した書類１０を撮影部１２１ａが撮影することができる。また、ユーザは、表示部１０５を確認しながら、表示部１０５の後方の書類１０を移動させることができるので、鏡像反転する必要がない。
【０１０７】
（その他の実施の形態）
上記のように、本発明の実施の形態とその変形例１および２によって記載したが、この開示の一部をなす論述および図面はこの発明を限定するものであると理解すべきではない。この開示から当業者には様々な代替実施の形態、実施例および運用技術が明らかとなる。
【０１０８】
例えば、本発明の実施の形態に記載した情報処理装置および情報格納装置は、図４、図１２、図１４および図２０に示すようにそれぞれ１つのハードウェア上に構成されても良いし、その機能や処理数に応じて複数のハードウェア上に構成されても良い。また、情報処理装置および情報格納装置の各機能が、一つのハードウェア上に構成されても良い。また、情報システム上に実現されても良い。
【０１０９】
本発明はここでは記載していない様々な実施の形態等を含むことは勿論である。従って、本発明の技術的範囲は上記の説明から妥当な特許請求の範囲に係る発明特定事項によってのみ定められるものである。
【符号の説明】
【０１１０】
１  情報処理装置
２  情報格納装置
１０  書類
１１  画像データ記憶部
１２  ガイドデータ記憶部
１３  対象データ記憶部
２０  取得手段
３０  プレビュー手段
３１  台形補正手段
３２  鏡像判定手段
４０  補正手段
４１  台形補正手段
４２  トリミング手段
５０  データ送信手段
６０  結果表示手段
１０１、２０１  中央処理制御装置
１０２  ＲＯＭ
１０３  ＲＡＭ
１０４  入力装置
１０５  表示部
１０６、２０６  通信制御装置
１０７、２０７  記憶装置
１０８  リムーバブルディスク
１０９  入出力インタフェース
１１０  バス
１２１  撮影部
１２２  画像変換部
２１１  対象データ一時記憶部
２１２  判定結果記憶部
２１３  対象データ格納部
２２１  データ受信手段
２２２  判定手段
２２３  文字認識手段
２２４  書類判定手段
２２５  可読性判定手段
２２６  捺印判定手段
２２７  結果送信手段
２２８  格納手段
【図１】
2011199479.tif 000003
【図２】
2011199479.tif 000004
【図３】
2011199479.tif 000005
【図４】
2011199479.tif 000006
【図５】
2011199479.tif 000007
【図６】
2011199479.tif 000008
【図７】
2011199479.tif 000009
【図８】
2011199479.tif 000010
【図９】
2011199479.tif 000011
【図１０】
2011199479.tif 000012
【図１１】
2011199479.tif 000013
【図１２】
2011199479.tif 000014
【図１３】
2011199479.tif 000015
【図１４】
2011199479.tif 000016
【図１５】
2011199479.tif 000017
【図１６】
2011199479.tif 000018
【図１７】
2011199479.tif 000019
【図１８】
2011199479.tif 000020
【図１９】
2011199479.tif 000021
【図２０】
2011199479.tif 000022